(57)【要約】      （修正有）【課題】可動部を持つ３次元構造体を厚紙を用いて作製し、十分な強度を得ることができるペーパークラフト自動販売機を提供する。【解決手段】略円柱状の販売物模型９１、９２、９３を販売する、厚紙を用いて製作されるペーパークラフト自動販売機であって、筐体１と、筐体１内に支持されたコンテナ底面ガイド３と、筐体１内に支持され、コンテナ底面ガイド３と鉛直方向に離間して設けられたコンテナ上面ガイド４と、コンテナ底面ガイド３とコンテナ上面ガイド４の間に設けられ、略水平方向に可動するコンテナと、コンテナを前面方向に押圧する弾性手段１００とを備え、コンテナ底面ガイド３の背面側端部と筐体１底面とは、販売物模型９１、９２、９３の直径以上の水平間隔を有し、コンテナは、水平方向の略中央部に、販売物模型９１、９２、９３の直径以上の水平幅を有する鉛直方向に貫通する略直方体状の空隙を有する。【選択図】図２０
0003200370.tif 000002
【実用新案登録請求の範囲】
【請求項１】
略円柱状の販売物模型を販売する、厚紙を用いて製作されるペーパークラフト自動販売機であって、
筐体と、
当該筐体内に支持されたコンテナ底面ガイドと、
上記筐体内に支持され、上記コンテナ底面ガイドと鉛直方向に離間して設けられたコンテナ上面ガイドと、
上記コンテナ底面ガイドと上記コンテナ上面ガイドの間に設けられ、略水平方向に可動するコンテナと、
当該コンテナを前面方向に付勢する弾性手段と、
を備え、
上記コンテナ底面ガイドの背面側端部と上記筐体背面とは、上記販売物模型の直径以上の水平間隔を有し、
上記コンテナは、水平方向の略中央部に、上記販売物模型の直径以上の水平幅を有する鉛直方向に貫通する略直方体状の空隙を有する
ことを特徴とするペーパークラフト自動販売機。
【請求項２】
上記コンテナの上記空隙の背面側端部と上記コンテナ底面ガイドの背面側端部との水平間隔が上記販売物模型の直径に等しくなる位置に上記コンテナを移動した際に、上記コンテナの上記空隙の前面側端部と上記コンテナ上面ガイドの前面側端部との水平間隔が上記販売物模型の直径より小さい
ことを特徴とする請求項１に記載のペーパークラフト自動販売機。
【請求項３】
コンテナ上面ガイドの前面側端部は、鉛直上方に向かって背面側に傾斜している
ことを特徴とする請求項２に記載のペーパークラフト自動販売機。
【請求項４】
上記コンテナ、上記コンテナ底面ガイド、および上記コンテナ上面ガイドは、箱型構造体である
ことを特徴とする請求項１から３のいずれかに記載のペーパークラフト自動販売機。
【請求項５】
上記筐体の側面部、おとび上面部を２重の厚紙で形成した
ことを特徴とする請求項１から４のいずれかに記載のペーパークラフト自動販売機。
【請求項６】
上記弾性手段は輪ゴムである
ことを特徴とする請求項１から５のいずれかに記載のペーパークラフト自動販売機。
【考案の詳細な説明】
【技術分野】
【０００１】
本考案は、缶コーヒー等を模した略円柱状の販売物模型を模擬販売する玩具である、厚紙を用いて製作されるペーパークラフト自動販売機に関するものである。
【背景技術】
【０００２】
ペーパークラフトは、紙を用いて製作する模型であり、近年においては、様々な３次元構造体が製作されている。例えば、城や自動車といった複雑な形状の３次元構造体も製作されている。
【０００３】
しかし、紙を用いるため十分な強度を得ることが難しく、一般には観賞用がほとんどであり、可動部分を持つ構造体を得ることは難しかった。このような問題を解決するため、素材を厚手の補強材を有する構造とすることが提案されている（例えば、特許文献１）。
【先行技術文献】
【特許文献】
【０００４】
【特許文献１】特開２００４−３５８１９８号
【考案の概要】
【考案が解決しようとする課題】
【０００５】
しかしながら、特許文献１に記載されているような厚手の補強材を用意することは簡単ではなく、ペーパクラフトの持つ大きな特徴である手軽に製作できるということを阻害するものであった。
【０００６】
本考案は上記の課題を解決するためになされたものであり、通常の厚紙を用いて、可動構造を有する構造体を手軽に製作することを目的としたものである。
【課題を解決するための手段】
【０００７】
本考案の請求項１に係るペーパークラフト自動販売機は、略円柱状の販売物模型を販売する、厚紙を用いて製作されるペーパークラフト自動販売機であって、
筐体と、当該筐体内に支持されたコンテナ底面ガイドと、上記筐体内に支持され、上記コンテナ底面ガイドと鉛直方向に離間して設けられたコンテナ上面ガイドと、上記コンテナ底面ガイドと上記コンテナ上面ガイドの間に設けられ、略水平方向に可動するコンテナと、当該コンテナを前面方向に押圧する弾性手段とを備え、
上記コンテナ底面ガイドの背面側端部と上記筐体背面とは、上記販売物模型の直径以上の水平間隔を有し、
上記コンテナは、水平方向の略中央部に、上記販売物模型の直径以上の水平幅を有する鉛直方向に貫通する略直方体状の空隙を有することを特徴とする。
【０００８】
本考案の請求項２に係るペーパークラフト自動販売機は、上記コンテナの上記空隙の背面側端部と上記コンテナ底面ガイドの背面側端部との水平間隔が上記販売物模型の直径に等しくなる位置に上記コンテナを移動した際に、上記コンテナの上記空隙の前面側端部と上記コンテナ上面ガイドの前面側端部との水平間隔が上記販売物模型の直径より小さいことを特徴とする。
【０００９】
本考案の請求項３に係るペーパークラフト自動販売機は、コンテナ上面ガイドの前面側端部が、鉛直上方に向かって背面側に傾斜していることを特徴とする。
【００１０】
本考案の請求項４に係るペーパークラフト自動販売機は、上記コンテナ、上記コンテナ底面ガイド、および上記コンテナ上面ガイドが、箱型構造体であることを特徴とする。
【００１１】
本考案の請求項５に係るペーパークラフト自動販売機は、上記筐体の側面部、おとび上面部を２重の厚紙で形成したことを特徴とする。
【００１２】
本考案の請求項６に係るペーパークラフト自動販売機は、上記弾性手段が輪ゴムである
ことを特徴とする。
【考案の効果】
【００１３】
本考案に係るペーパークラフト自動販売機は、上記のように構成されるため、可動部を持つ３次元構造体を、１ｍｍ程度の厚紙を用いて作製し、十分な強度を得ることができる。一般に、ペーパークラフトは鑑賞用として製作されるが、可動部を持つ玩具としても十分なポテンシャルを有することを確認できた。
【図面の簡単な説明】
【００１４】
【図１】本考案に係るペーパークラフト自動販売機の筐体の展開図である。
【図２】本考案に係るペーパークラフト自動販売機の筐体の組立後の斜視図である。
【図３】本考案に係るペーパークラフト自動販売機のコンテナの展開図である。
【図４】本考案に係るペーパークラフト自動販売機のコンテナの組立後の斜視図である。
【図５】本考案に係るペーパークラフト自動販売機のコンテナ底面ガイドの展開図である。
【図６】本考案に係るペーパークラフト自動販売機のコンテナ上面ガイドの展開図である。
【図７】本考案に係るペーパークラフト自動販売機のコンテナ底面ガイドおよび上面ガイドの組立後の斜視図である。
【図８】本考案に係るペーパークラフト自動販売機の支柱の展開図である。
【図９】本考案に係るペーパークラフト自動販売機の支柱支持体の展開図である。
【図１０】本考案に係るペーパークラフト自動販売機の支柱と支柱支持体の組立後の斜視図である。
【図１１】本考案に係るペーパークラフト自動販売機の支柱、支柱支持体およびコンテナ底面ガイド、上面ガイドの組立後の斜視図である。
【図１２】本考案に係るペーパークラフト自動販売機の支柱、支柱支持体およびコンテナ底面ガイド、上面ガイドの組立後の斜視図である。
【図１３】本考案に係るペーパークラフト自動販売機の支柱、支柱支持体およびコンテナ底面ガイド、上面ガイドを筐体に設置した図である。
【図１４】本考案に係るペーパークラフト自動販売機の内部カバーの展開図である。
【図１５】本考案に係るペーパークラフト自動販売機の内部カバーを筐体に設置した図である。
【図１６】本考案に係るアクセサリーを構成する部品図である。
【図１７】本考案に係るペーパークラフト自動販売機の内部カバーを筐体に設置した図である。
【図１８】本考案に係るペーパークラフト自動販売機の内部カバーを筐体に設置した図である。
【図１９】本考案に係るペーパークラフト自動販売機の内部カバーを筐体に設置した図である。
【図２０】本考案に係るペーパークラフト自動販売機の動作を説明するための図である。
【図２１】本考案に係るペーパークラフト自動販売機の動作を説明するための図である。
【図２２】本考案に係るペーパークラフト自動販売機の動作を説明するための図である。
【考案を実施するための形態】
【００１５】
実施の形態．
本考案に係るペーパークラフト自動販売機の構成や動作等に関して、以下において、図面を用いて説明する。なお、以下の説明は本考案に関する良好な一例を開示するものであり、本考案が当該実施の形態に限定されるものではない。例えば、本実施の形態において開示する考案品の構造や材料、寸法等は、良好な一例を示すに過ぎず、その他の可能性を否定するものでは無い。
【００１６】
本考案のペーパークラフト自動販売機は、缶コーヒー等を模した略円柱状の販売物模型を販売する模型であり、厚さ１ｍｍ程度の厚紙を用いて製作される。製作にあたっては、複数の構成部品を組立て、その後に、構成部品を組み合わせることでペーパークラフト自動販売機が完成する。
【００１７】
構成部品を以下に記す。
１．筐体（１個）
２．コンテナ（３個）
３．コンテナ底面ガイド（１個）
４．コンテナ上面ガイド（１個）
５．支柱（２個）
６．支柱支持体（１個）
７．内部カバー（１個）
８．前面カバー（１個）
その他に、輪ゴム３個と、缶コーヒー等を模した略円柱状の販売物模型９個を使用する。
以下において、各構成部品の詳細を説明する。
【００１８】
＜筐体＞
筐体１は、ペーパークラフト自動販売機の外形をなし、その内部に各構成部品を配置する外箱である。その展開図を図１に、展開図から組み上げた立体形状を図２に示す。筐体１の高さは、本実施の形態においては、約３５ｃｍである。
図１に示した展開図から組み上げる際には、まず、点線部で厚紙を折り曲げる。そして、アルファベットの大文字で示したタブを、対応するアルファベットの小文字で示したタブ挿入部に差し込むことで立体形状が得られる。例えば、Ａで示したタブをａで示したタブ挿入部に差し込む。
【００１９】
このようにして、図２に示す立体形状の筐体１が得られる。筐体１の背面部には、コンテナ用背面開口１１が設けられている。
筐体１の側面部や上面部は、いずれも厚紙を２重にした構造になっており、ペーパークラフト自動販売機として十分な強度を有している。
【００２０】
＜コンテナ＞
コンテナ２は、缶コーヒー等を模した略円柱状の販売物模型を入れる箱であり、本実施の形態においては、３個のコンテナを用いる。すなわち、３種類の販売物模型を販売できる。
その展開図を図３に、展開図から組み上げた立体形状を図４に示す。図３に示した展開図から組み上げる際には、まず、点線部で厚紙を折り曲げる。その後、「あ」面の表面と「い」面の裏面を糊等を用いて接着する。そして、アルファベットの大文字で示したタブを、対応するアルファベットの小文字で示したタブ挿入部に差し込むことで、図４に示す立体形状が得られる。
【００２１】
コンテナ２は、前面部２５、背面部２６、その間に設けられた鉛直方向に貫通する略直方体状の空隙２７で構成され、空隙２７は、略円柱状の販売物模型がすっぽりと入る大きさを有している。すなわち、空隙２７の幅は、略円柱状の販売物模型の直径よりも大きくなっている。
また、前面部２５には、前面側爪２１および２２が、背面部２６には、背面側爪２３とゴム留め２４が設けられている。
【００２２】
＜コンテナガイド＞
コンテナの底面側に位置することになるコンテナ底面ガイド３と、コンテナの上面側に位置することになるコンテナ上面ガイド４とがあり、それぞれの展開図を図５と図６に、組み上げた立体図を図７に示す。
いずれも、組み上げる際には、まず、点線部で厚紙を折り曲げる。そして、アルファベットの大文字で示したタブを、対応するアルファベットの小文字で示したタブ挿入部に差し込むことで、三角柱状の立体形状が得られる。
【００２３】
コンテナ底面ガイド３には、固定用切込み３１と３２が設けられ、組み上げた際には、固定用切込み３２は、固定用切込み３１の一部に重なるようになっている。同様に、固定用切込み３３と３４が設けられている。
【００２４】
コンテナ上面ガイド４もほぼ同様の構成であり、固定用切込み４１と４２が設けられ、組み上げた際には、固定用切込み４２は、固定用切込み４１の一部に重なるようになっている。同様に、固定用切込み４３と４４が設けられている。
さらに、３つの輪ゴム留め４５、４６、および４７が設けられている。この輪ゴム留め４５、４６、および４７のそれぞれに、図７に示すように輪ゴムの一端を挿入する。
【００２５】
＜支柱＞
上述した２つのコンテナガイド３および４を支持する支柱５の展開図を図８に示す。
支柱５には、固定用切込み５１、コンテナ底面ガイド支持部５２、およびコンテナ上面ガイド支持部５３が設けられている。
【００２６】
＜支柱支持体＞
２本の支柱５を支持する支柱支持体６の展開図を図９に示す。
支柱支持体６は、３つのスロープ６１と、その間に設けられた２つの固定用切込み６２が設けられている。
【００２７】
図１０に示すように、支柱支持体６の２つの固定用切込み６２に、２本の支柱５の固定用切込み５１を挿入することで、２本の支柱５を鉛直方向に立設する。
そして、図１１に示すように、２本の支柱５のコンテナ底面ガイド支持部５２に、コンテナ底面ガイド３の固定用切込み３１と３３を挿入することで、コンテナ底面ガイド３を水平方向に固定する。
同様に、２本の支柱５のコンテナ上面ガイド支持部５３に、コンテナ上面ガイド４の固定用切込み４１と４３を挿入することで、コンテナ上面ガイド４を水平方向に固定する。
図１２は、図１１の裏面側から見た図である。
【００２８】
次に、図１１および図１２に示す状態に組み合わせたコンテナ底面ガイド３、コンテナ上面ガイド４、２本の支柱５、および支柱支持体６を、筐体１に組み込む。組み込んだ状態を図１３に示す。
【００２９】
＜内部カバー＞
内部カバー７の展開図を図１４に示す。
また、内部カバーを点線で折り込み、筐体内に挿入した状態を図１５に示す。内部カバー７には、コンテナ用前面開口７１が設けられている。
【００３０】
＜前面カバー＞
前面カバー８の展開図を図１６に示す。また、その組み上がり図を図１７に示す。
前面カバー８には、３つのコンテナ押圧用開口８１、コイン投入口８２、および貯金箱８３が設けられている。コイン投入口８２から投入した硬貨は、貯金箱８３に落ちるようになっている。
【００３１】
図１６における前面カバー８の左端を筐体に挿入した状態が図１８である。また、図１８においては、３つのコンテナ２を２つのコンテナガイド３および４の間に設置している。
【００３２】
３つのコンテナ２は、輪ゴム留め２４が、筐体１のコンテナ用背面開口１１から見える状態になっており、それぞれの輪ゴム留め２４に、コンテナ上面ガイド４の３つの輪ゴム留め４５、４６、および４７に一端が固定された３本の輪ゴム１００の他端が固定される。また、コンテナ２の背面側爪２３は、筐体１のコンテナ用背面開口１１の外側に来るように配置される。以上のような構造、配置にすることで、それぞれのコンテナ２は、前面側方向に付勢された状態になっており、且つ背面側爪２３により、前面に排出されることがないようになっている。
【００３３】
そして、前面カバー８の上端部と右端部を折り曲げて、筐体１に挿入した状態が図１９である。内部カバー７のコンテナ用前面開口７１、および前面カバー８のコンテナ押圧用開口８１を介して、ペーパークラフト自動販売機の前面より、３つのコンテナ２のそれぞれを押し込むことができる状態になっている。
【００３４】
＜動作＞
次に、ペーパークラフト自動販売機の動作について、図２０から図２２を用いて説明する。
まず、図１８の状態において、内部カバー７の上方より、販売物模型を各コンテナ２に入れる。本実施の形態においては、それぞれのコンテナ２に３つの販売物模型を入れることができる。すなわち、９個の販売物模型を入れることができる。
【００３５】
このように、コンテナ２に３つの販売物模型９１、９２および９３を入れた状態の、１つのコンテナ２を含む断面図を図２０に示す。ペーパークラフト自動販売機の可動部に関する図である。
図２０に示すように、ペーパークラフト自動販売機の可動部は、筐体１内に支持されたコンテナ底面ガイド３と、コンテナ底面ガイド３と鉛直方向に離間して設けられたコンテナ上面ガイド４と、それらの間に設けられ、略水平方向に可動するコンテナ２と、コンテナ２を前面方向に付勢する弾性手段である輪ゴム１００とから主に構成される。
【００３６】
コンテナ２の水平方向の可動領域は、前面側爪２１，２２、および背面側爪２３により規制されている。図２０は、コンテナ２が人の指等によって押圧されていない状態であり、この状態においては、弾性手段である輪ゴム１００により、コンテナ２は前面方向に付勢され、背面側爪２３が筐体の背面に当たっている。
【００３７】
コンテナ２を前面より人の指等によって押圧すると、コンテナ２は背面側に移動する。そして、コンテナ２の空隙２７の背面側端部とコンテナ底面ガイド３の背面側端部との水平間隔が販売物模型の直径よりも大きくなると、図２１に示すように、販売物模型９１が落下する。落下した販売物模型９１は、スロープ６１より取り出すことができる。なお、コンテナ底面ガイドの背面側端部と筐体背面とは、上記販売物模型の直径以上の水平間隔を有している。
【００３８】
販売物模型９１以外の販売物９２および９３は、コンテナ上面ガイド４の前面側端部に当たり、コンテナ２の空隙２７に入ることができないので落下しない。
このようにして、販売物模型を１個ずつ落下させることができる。なお、販売物模型を１個ずつ落下させるためには、コンテナ２の空隙２７の背面側端部とコンテナ底面ガイド３の背面側端部との水平間隔が販売物模型の直径に等しくなる位置にコンテナ２を移動した際に、コンテナ２の空隙２７の前面側端部とコンテナ上面ガイド４の前面側端部との水平間隔が販売物模型の直径より小さくなるようにすれば良い。
【００３９】
人の指等による押圧を止めると、輪ゴム１００の復元力により、コンテナ２は元の位置に復帰し、販売物９２がコンテナ２の空隙２７内に入る（図２２）。
【００４０】
＜本考案の特徴＞
以下、本考案の有する優れた特長について述べる。
第一に、可動部を持つ３次元構造体を、１ｍｍ程度の厚紙を用いて作製し、十分な強度を得ることができたことである。一般に、ペーパークラフトは鑑賞用として製作されるが、可動部を持つ玩具としても十分なポテンシャルを有することを確認できた。
【００４１】
このようにペーパークラフトで高い強度を実現できた理由は、図２０等に示すように、可動部付近の構成が、比較的シンプルな形状の構造体で形成できたためである。すなわち、本考案においては、可動部付近の構成部品であるコンテナやコンテナ底面ガイド、コンテナ上面ガイド等を直方体や三角柱の箱型構造体で実現している。このような箱型の構造体は、簡単に組み立てられると同時に、高い強度を有する。したがって、指で強く押し込むような動作に対しても大きく歪むことなく、繰り返して確実な動作を実現できる。
【００４２】
また、筐体の側面部や上面部を２重構造にしたことで、筐体内部の部品をしっかりと筐体が支えることが可能となった。
その他にも、支柱を三角柱構造にする等の強度向上の工夫を行っている。
【００４３】
以上の工夫により、ほとんど接着剤を用いずに、折り曲げのタブの挿入だけで、しっかりとした構造を形成することが可能になり、自動販売機のような複雑な動きをペーパークラフトにより実現することができた。
【符号の説明】
【００４４】
１    筐体  
２    コンテナ
３    コンテナ底面ガイド
４    コンテナ上面ガイド
５    支柱
６    支柱支持体
７    内部カバー
８    前面カバー
【図１】
0003200370.tif 000003
【図２】
0003200370.tif 000004
【図３】
0003200370.tif 000005
【図４】
0003200370.tif 000006
【図５】
0003200370.tif 000007
【図６】
0003200370.tif 000008
【図７】
0003200370.tif 000009
【図８】
0003200370.tif 000010
【図９】
0003200370.tif 000011
【図１０】
0003200370.tif 000012
【図１１】
0003200370.tif 000013
【図１２】
0003200370.tif 000014
【図１３】
0003200370.tif 000015
【図１４】
0003200370.tif 000016
【図１５】
0003200370.tif 000017
【図１６】
0003200370.tif 000018
【図１７】
0003200370.tif 000019
【図１８】
0003200370.tif 000020
【図１９】
0003200370.tif 000021
【図２０】
0003200370.tif 000022
【図２１】
0003200370.tif 000023
【図２２】
0003200370.tif 000024